(57)【要約】【課題】  クリーンルーム等において、天井内でランプ交換ができる照明器具は従来から種々提案されているが、これらはいずれも特注品として製作されるものであるため非常に高価となり、建設費に対しても大きな負担となっている。また従来のものでは、必ずしも安全にランプ交換作業が行えるものではない。【解決手段】  そこで本発明では、ランプ５、ホルダ６、セード７及び透明板８から成る照明器具の、上記透明板をセードと分離構成すると共に、枠９によって支持して透明板パネルとして構成して天井板１１と気密的に一体化し、ランプ、ホルダ及びセードから成る照明器具本体を天井支持用鋼材１側から可撓支持体１４によって吊持して、セードの先端側を透明板に近接させて支持する構成とした埋込式照明器具の設置機構を提案する。【選択図】    図１
2006073341.tif 000002
【特許請求の範囲】
【請求項１】
ランプ、ホルダ、セード及び透明板から成る照明器具の、上記透明板をセードと分離構成すると共に、枠によって支持して透明板パネルとして構成して天井板と気密的に一体化し、ランプ、ホルダ及びセードから成る照明器具本体を天井支持用鋼材側から可撓支持体によって吊持して、セードの先端側を透明板に近接させて支持する構成としたことを特徴とする埋込式照明器具の設置機構
【請求項２】
天井支持用鋼材の下方に吊りボルトにより照明器具用支持部材を吊持すると共に、この照明器具用支持部材の下方に照明器具の本体支持用部材を吊りボルトにより吊持し、ランプ、ホルダ、セード及び透明板から成る照明器具の、上記透明板をセードと分離構成し、枠によって支持して透明板パネルとして構成すると共に、この透明板パネルを上記照明器具用支持部材の下方に吊りボルトにより支持して天井板と気密的に一体化し、ランプ、ホルダ及びセードから成る照明器具本体を上記本体支持用部材の下方に可撓吊持体により吊持して、セードの先端側を透明板に近接させて支持する構成とすると共に、上記本体支持用部材には可撓吊持体の中間部を支持可能とする仮支持部材を設けたことを特徴とする埋込式照明器具の設置機構
【請求項３】
可撓吊持体はチェーンとし、仮支持部材はチェーンを引っ掛け可能なフックとしたことを特徴とする請求項２に記載の埋込式照明器具の設置機構
【発明の詳細な説明】
【技術分野】
【０００１】
本発明は、例えば医薬品工場、化粧品工場等のクリーンルームの天井に設置する埋込式照明器具の設置機構に関するものである。
【背景技術】
【０００２】
クリーンルームの中には、将来的にレイアウト変更等において生産機器をフレキシブルに移動できる空間を構成することをコンセプトとして、天井高が約８ｍというような高天井に構成したものがある。
【０００３】
このような高天井空間では、天井に設置した照明器具のランプ交換を脚立を用いて行うことは困難である。
【０００４】
ランプ交換に際して、照明器具を昇降可能とした、所謂、オートリフター式照明器具もあるが、このような照明器具は、将来のレイアウト変更に対してフレキシブルに対応することが困難で、コスト高であると共に、照明器具の降下時における塵埃の落下という問題もある。
【０００５】
このようなことからクリーンルームにおいては、天井内でのランプ交換が行え、低コストで、且つ安全作業が行える照明器具が求められている。
【０００６】
そこで、例えば特許文献１、特許文献２に記載されているように、クリーンルーム等の天井内においてランプの交換を行えるようにするための各種の提案が従来からなされている。
【特許文献１】特開２０００−１８２４２９
【特許文献２】特開２００２−１０６１９６
【発明の開示】
【発明が解決しようとする課題】
【０００７】
このようにクリーンルーム等において、天井内でランプ交換ができる照明器具は従来から種々提案されているが、これらはいずれも特注品として製作されるものであるため非常に高価となり、建設費に対しても大きな負担となっている。
【０００８】
また従来のものでは天井内においてランプ交換を行う際に、重い部分を取り外して天井内の適当な所に置いておく等の作業が必要で、必ずしも安全にランプ交換作業が行えるものではない。
本発明はこのような課題を解決することを目的とするものである。
【課題を解決するための手段】
【０００９】
上述した課題を解決するために、本発明では、まず、ランプ、ホルダ、セード及び透明板から成る照明器具の、上記透明板をセードと分離構成すると共に、枠によって支持して透明板パネルとして構成して天井板と気密的に一体化し、ランプ、ホルダ及びセードから成る照明器具本体を天井支持用鋼材側から可撓支持体によって吊持して、セードの先端側を透明板に近接させて支持する構成とした埋込式照明器具の設置機構を提案する。
【００１０】
また本発明では、天井支持用鋼材の下方に吊りボルトにより照明器具用支持部材を吊持すると共に、この照明器具用支持部材の下方に照明器具の本体支持用部材を吊りボルトにより吊持し、ランプ、ホルダ、セード及び透明板から成る照明器具の、上記透明板をセードと分離構成し、枠によって支持して透明板パネルとして構成すると共に、この透明板パネルを上記照明器具用支持部材の下方に吊りボルトにより支持して天井板と気密的に一体化し、ランプ、ホルダ及びセードから成る照明器具本体を上記本体支持用部材の下方に可撓吊持体により吊持して、セードの先端側を透明板に近接させて支持する構成とすると共に、上記本体支持用部材には可撓吊持体の中間部を支持可能とする仮支持部材を設けた埋込式照明器具の設置機構を提案する。
【００１１】
そして本発明では、上記埋込式照明器具の設置機構において、可撓吊持体はチェーンとし、仮支持部材はチェーンを引っ掛け可能なフックとすることを提案する。
【発明の効果】
【００１２】
本発明の設置機構では、透明板をセードと分離構成し、透明板パネルとして天井板と気密的に一体化しているので、可撓支持体によって吊持しているランプ、ホルダ及びセードから成る照明器具本体を透明板から離して持ち上げることができ、こうしてクリーンルーム等の室内に塵埃等による影響を与えることなく、天井内においてランプの交換を容易に行うことができる。
【発明を実施するための最良の形態】
【００１３】
透明板を枠によって支持した透明板パネルは吊りボルトにより照明器具用支持部材の下方に吊持すると共に、照明器具本体を吊持する可撓支持体を支持する本体支持用部材を吊りボルトにより上記照明器具用支持部材の下方に吊持する構成では、ランプ交換に際して持ち上げた照明器具本体を使用状態まで下降させた状態における照明器具本体と透明板との相対位置関係を常に一定に保持することができ、容易に最適な使用状態とすることができる。
【００１４】
また可撓吊持体をチェーンとし、仮支持部材はチェーンを引っ掛け可能なフックとすることにより、ランプ交換に際して照明器具本体を作業の行いやすい高さに容易に支持することができる。
【実施例１】
【００１５】
次に本発明に係る埋込式照明器具の設置機構の実施例を添付の図１〜図５を参照して説明する。
図１は本発明の全体の構成を概念的に示した斜視図であり、符号１は建築工事において設置される天井支持用鋼材であり、２はその後の電気工事において設置される照明器具用支持部材であり、この照明器具用支持部材２は吊りボルト３により天井支持用鋼材１の下方に吊持する。
【００１６】
符号４は照明器具であり、この照明器具４は、ランプ５、ホルダ６、セード７及び保護ガラス等の透明板８から構成されるものであるが、透明板８は、図３に分かり易く示しているように、セード６と分離構成し、そして枠９によって支持して透明板パネルとして構成している。尚、この照明器具４において、透明板８を除いた他の要素、即ち、ランプ５、ホルダ６及びセード７から成る部分を、以降、照明器具本体と称する。
【００１７】
上記透明板パネルを上記照明器具用支持部材２の下方に吊りボルト１０により支持して天井板１１と気密的に一体化している。尚、ここでは、気密的に一体化とは、下方のクリーンルームの機能を確保するために、夫々独立して支持されている天井板１１と透明板パネルとの気密処理を行うことを称している。
【００１８】
符号１２は上記照明器具本体を支持するための本体支持用部材であり、この本体支持用部材１２を吊りボルト１３により上記照明器具用支持部材２に吊持する。そして照明器具本体、この場合、そのホルダ６の上部を本体支持用部材１２に固定して、この照明器具本体を可撓支持体としてのチェーン１４により、本体支持用部材１２に吊持している。そして本体支持用部材１２には、上記仮支持部材として、チェーンを引っ掛け可能なフック１５を設けている。尚、図中２点鎖線で示している線状体は電源ケーブル１６を示すものである。
【００１９】
以上の構成において、照明器具４の使用状態においては、図１、図２及び図４に示すように、本体支持用部材１２からチェーン１４によって吊持された照明器具本体のセード７の先端が、天井板１１と気密的に一体化した透明板パネルの透明板８上に近接して支持される。
【００２０】
次に照明器具４のランプ５の交換を行う場合には、作業員はキャットウォーク（図示省略）により照明器具４の設置個所の近傍に至った後、チェーン１４により照明器具本体をランプ５の交換を行える高さまで持ち上げ、この高さにおいてチェーン１４の中間部をフック１５に引っ掛ける。
【００２１】
こうすることにより、図５に示すように、照明器具本体は、十分な高さで容易に支持されるので、この状態において、容易にそして安全にランプ５の交換を行うことができる。
【００２２】
ランプ５の交換後は、チェーン１４の中間部をフック１５から外した後、照明器具本体を徐々に下降させて、セード７の先端を透明板８上に近接することにより、図４の使用状態に戻すことができる。
【００２３】
この実施例においては、透明板８を枠９によって支持した透明板パネルは吊りボルト１０により照明器具用支持部材２の下方に吊持すると共に、照明器具本体を吊持するチェーン１４を支持する本体支持用部材１２は吊りボルト１３により、上記照明器具用支持部材２の下方に吊持する構成であるため、ランプ交換に際して持ち上げた照明器具本体を上述したように使用状態まで下降させると、その状態における照明器具本体、即ちセード７と透明板８との相対位置関係を常に一定に保持することができ、容易に最適な使用状態とすることができる。
【００２４】
尚、実施例を示す図においては、照明器具は、投光器型のものを示しているが、本発明の設置機構は、上述した構成要素を有する如何なる形式の照明器具にも適用できることは勿論である。
【００２５】
また本発明を適用するクリーンルームとしては高天井のものに限られるものではない。
【産業上の利用可能性】
【００２６】
本発明は以上のとおりであるので、以下に示すとおり、産業上の利用可能性が極めて大である。
【００２７】
１．本発明は、非常に簡素な構造であるため、従来の特注品として製作されるものと比較して非常に低コストで提供することができる。
【００２８】
２．また本発明では、天井内においてランプ交換を行う際に、従来のように、重い部分を取り外して天井内の適当な所に置いておく等の作業が不要であるため、安全にランプ交換作業を行うことができる。
【図面の簡単な説明】
【００２９】
【図１】本発明に係る設置機構の実施例の全体の構成を使用状態において概念的に示した斜視図である。
【図２】本発明に係る設置機構の実施例の要部の構成を使用状態において概念的に示した斜視図である。
【図３】本発明に係る設置機構の実施例の要部の構成をランプ交換作業状態において概念的に示した斜視図である。
【図４】本発明に係る設置機構の実施例の全体の構成を使用状態において概念的に示した正面図である。
【図５】本発明に係る設置機構の実施例の全体の構成をランプ交換作業状態において概念的に示した正面図である。
【符号の説明】
【００３０】
１          天井支持用鋼材
２          照明器具用支持部材
３          吊りボルト
４          照明器具
５          ランプ
６          ホルダ
７          セード
８          透明板
９          枠
１０        吊りボルト
１１        天井板
１２        本体支持用部材
１３        吊りボルト
１４        チェーン（可撓支持体）
１５        フック（仮支持体）
１６        電源ケーブル
【図１】
2006073341.tif 000003
【図２】
2006073341.tif 000004
【図３】
2006073341.tif 000005
【図４】
2006073341.tif 000006
【図５】
2006073341.tif 000007